(57)【要約】  本発明は弾性シートで構成される骨盤保護椅子に関するものである。本発明は、スタンド（６５）に取り付けられたキャスター（６６）を有する固定部（６０）に取り付けられたベース（１０）と、ベースにヒンジ連結された少なくとも１組のシートサポート（２０）と、ベース（１０）及びシートサポート（２０）を弾性的に連結するスプリング（３０）と、シートサポート（２０）に取り付けられたシート（５０）と、ベース（１０）に取り付けられたアームレスト（７５）及びバックボード（７０）とで構成される。
2009511160.tif 000002
【特許請求の範囲】
【請求項１】
骨盤保護椅子であって、
ベースプレート上部の両側に対称に位置する少なくとも１組のベースヒンジを有し、所定の高さで固定部に取り付けられたベースと、
下側に取り付けられたヒンジを有し、前記ベースヒンジにヒンジ連結された少なくとも１組のシートサポートと、
前記シートサポートを弾性的に保持するために前記シートサポートヒンジの連結点に取り付けられたスプリングと、
さらに、前記シートサポートに対応する少なくとも１組のシートと、
を含む骨盤保護椅子。
【請求項２】
請求項１に係る骨盤保護椅子であって、
一定の角度で前記シートサポートを保持するために、前記シートサポートのシートサポートヒンジが前記ベースの側面と接触するストッパーを有することを特徴とする骨盤保護椅子。
【請求項３】
請求項１に係る骨盤保護椅子であって、
前記スプリングがリーフスプリングであって、その片側が前記ベースの上側に連結され、その他側が前記シートサポートの下側に連結されることを特徴とする骨盤保護椅子。
【請求項４】
請求項３に係る骨盤保護椅子であって、
前記リーフスプリングのベース側の端部分が上向き方向に湾曲していることを特徴とする骨盤保護椅子。
【請求項５】
請求項３に係る骨盤保護椅子であって、
前記リーフスプリングのシートサポート側の端部分が前記シートサポートで固定されることを特徴とする骨盤保護椅子。
【請求項６】
請求項１に係る骨盤保護椅子であって、
前記ベース又は前記固定部の下部両側に連結された１組のアームレストをさらに含むことを特徴とする骨盤保護椅子。
【請求項７】
請求項１に係る骨盤保護椅子であって、
前記ベース又は前記固定部の下部後側に連結されたバックボードをさらに含むことを特徴とする骨盤保護椅子。
【請求項８】
請求項１に係る骨盤保護椅子であって、
前記固定部が高さ制御部分と移動許容キャスターとを有することを特徴とする骨盤保護椅子。
【請求項９】
請求項１に係る骨盤保護椅子であって、
前記ベースプレートよりも低い高さに位置決めされる、前記固定部を連結するための連結部分を前記ベースにさらに含むことを特徴とする骨盤保護椅子。
【請求項１０】
請求項１に係る骨盤保護椅子であって、
前記ベースヒンジ及びシートサポートがそれぞれ３組あることを特徴とする骨盤保護椅子。
【発明の詳細な説明】
【技術分野】
【０００１】
本発明は骨盤保護椅子に関するものである。より具体的には、ユーザーの骨盤と接触する弾性材を備えたシートが含まれているので、その骨盤を保護できるようになっている保護椅子に関するものである。
【背景技術】
【０００２】
通常、人間の脊椎は頸椎、胸椎、及び腰椎で形成されている。腰椎の端部に位置する尾骨が過労又は座位に起因する疼痛の起源であると思われているが、この疼痛は尾骨痛と呼ばれている。
【０００３】
具体的には尾骨痛は、肛門の後に位置する尾骨が動くと疼痛をもたらす疾患であり、尾骨自体は疾患の原因でない。本疾患は、男性よりも女性に多く（２倍）見られ、工場労働者や事務員に対して診断されることが多い。
【０００４】
雪の日にすべって仰向けに倒れる事故、乗馬のように尾骨が継続的に衝撃を受ける趣味や作業、又は分娩などの産科履歴や難産、又は脊髄関節炎のような疾患は、全て尾骨痛の原因となり得る。尾骨痛患者が、その尾骨につながる筋肉に収縮や弛緩を生じると、痛みを感じることは知られている。
【０００５】
この疾患は骨格筋弛緩剤を用いて治療することができるが、この治療が何らの効果をもたらさない場合には、局部麻酔又はステロイドを投与することにより、尾骨につながる筋肉を弛緩させることができる。尾骨痛患者は、腰背部の筋肉を運動させる必要があり、その悪い姿勢も矯正する必要がある。
【０００６】
稀ではあるが、信頼性の高い病変が放射検査によって発見される場合、尾骨切除手術が行われる。
【０００７】
このように尾骨における疼痛の原因が同定されれば尾骨痛は完治可能であるが、その限りでない場合は、尾骨痛の再発により患者は深刻な不快感に悩まされ得る。
【０００８】
その他の疾患に言及すると、痔核は、直腸及び肛門における静脈瘤、言い換えれば肛門及び下部直腸の拡張静脈である。
【０００９】
痔核は内痔核と外痔核とに分類することができ、肛門の周囲に発生し、非常に敏感な組織で包囲され、血栓が発生する場合には激しい痛みをともなう高度な鼓腸が起こる。痔核は硬い塊として検出することができ、破裂すると出血する。
【００１０】
内痔核の症状は、無痛出血及び便通時における櫛状線の真下の突起である。但し、内痔核でさえも、完全脱出（痔核を手で押し戻しても肛門内に戻らなくなった脱出状態）が起こると激しい痛みをもたらし得る。
【００１１】
従って、痔核患者は、激しい痛みのため、長時間椅子に腰掛けることができず、普通の生活を営む上でも疼痛を感じる。
【００１２】
しかし、臀部領域に疼痛を感じる尾骨痛又は痔核患者のための快適な椅子は開発されていないので、かかる患者は日常生活時に困難を感じる。
【００１３】
この問題を軽減するため、本発明の出願人によって韓国実用新案登録第２０−０２６０６３１号として登録された「分割シートを備える椅子」が提供されている。
【００１４】
韓国実用新案登録第２０−０２６０６３１号の着想は、椅子の下にマウントされた一式の連結装置を用いて２つのシート間の間隔を手動で調整することにある。
【００１５】
ところが、この機構を備えた該考案による椅子には、いくらかの不便さがある。その不便さとは、シート間の間隔を調整するには、ユーザーが椅子から立ち上がり、その固定状態のロックを解除し、次いでシートを押すか引くかしてその位置を調整してから、再び機構をロックして固定状態にさせる必要があるという手動調整過程に起因するものである。この不便さに加えて、シート間の間隔が固定間隔でのみ調節可能であり、微調整を行うことはできない。
【００１６】
さらに、ほとんどの場合、その椅子は単一ユーザーによって使用されるので、ひとたびシート間の間隔が調整された後には再び調整する必要性がなく、該調整機構は無用となり、結果として製造コスト高につながる。
【００１７】
さらに、その間隔制御連結装置のため椅子重量が大きくなり、取り扱いが不便になる。
【発明の開示】
【発明が解決しようとする課題】
【００１８】
よって、本発明の目的は、前述の問題点に基づいて、ユーザーの物理的状態を考慮し、１組のシート間の間隔を一定量調整可能であり、シートの垂直調整もできるようなっている尾骨保護椅子を開発することである。本発明の別の目的は、椅子のフレームを簡素化して製造性を向上させることである。
【課題を解決するための手段】
【００１９】
上記の目的を達成するため、本発明の椅子は、上部ベースプレート上に対称に取り付けられた少なくとも１組のベースヒンジと、前記椅子の初期高さを確定する固定部に取り付けられたベースと、当該ベースにヒンジ連結された少なくとも１つのシートサポートと、前記２つのベース間の弾性を維持するために当該ベースと前記シートベースとの間に取り付けられるスプリングと、前記２つのシートベースに対応する一対のシートとを有する。
【００２０】
前記シートサポートのサポートヒンジは、当該ベースの側面に取り付けられて、ストッパーとしての役割を果たし、前記シートサポートを均一な角度に維持する。
【００２１】
当該スプリングは、その一端が前記ベースの上側に取り付けられ、その他端（極度の圧縮応力を吸収できるように上方に湾曲している）が前記シートサポートの底面側に取り付けられているリーフスプリングである。
【００２２】
前記リーフスプリングの底面側は前記シートサポートに固定される。
【００２３】
前記ベース又は前記固定部は、その下部に連結する１組のアームを有するとともに、その背部に取り付けられたバックボードも有する。
【００２４】
また、前記固定部には、高さ調整連結装置と、垂直調整を可能にするためのキャスターと、が含まれる。
【発明の効果】
【００２５】
本発明は、長時間にわたって座位するユーザーのため、その骨盤の拡張を防止し、尾骨にかかる圧力を軽減するので、尾骨の疼痛を軽減可能であり、肛門疾病患者に好都合である。
【００２６】
また、本発明は、その比較的にシンプルな設計のため生産性も向上させる。
【発明を実施するための最良の形態】
【００２７】
以下、本発明を添付図面を参照して正確に説明する。
【００２８】
図１及び図８に示すように、骨盤保護椅子は、スタンド（６５）に取り付けられたキャスター（６６）を有する固定部（６５）に取り付けられたベース（１０）と、ベースにヒンジ連結された２つのシートサポート（２０）と、シートとベースとの間に弾性を提供するためのリーフスプリング（３０）と、シートサポート（２０）に取り付けられたシート（５０）と、ともにベース（１０）に連結された２つのアームレスト（７５）とバックボードと、からなる。
【００２９】
図５に記載したように、ベース（１０）上で対称に取り付けられた２つのヒンジが設けられ、ヒンジはそれぞれ第１ヒンジ連結孔（１３ａ）を有する。
【００３０】
ベース（１０）の中心には連結部（１１ａ）が設けられ、連結部（１１ａ）に固定部（６０）と連結するためのネジ孔（１１ｂ）が設けられる。
【００３１】
連結部（１１ａ）はネジ孔（１１ｂ）に螺合するボルト用ギャップとして用いられ、リーフスプリング（３０）の湾曲端部（３５）はシートを下降させるための間隔を確保する。
【００３２】
ベースプレート（１１）は軽量と剛性を兼ね備えた２ｍｍ厚の鋼板からなり、プレートの縁部は下側方向に折り曲げ成形されている。つまり、プレートの中心部分が水平方向（ヒンジ（１３）の方向）に突出するようにプレス成形されている。
【００３３】
シートサポート（２０）は４つのヒンジ（１３）によりベース（１０）と連結される。
【００３４】
図６に示したように、ベースヒンジ（１３）に連結されたサポートヒンジ（２３）は下向きに形成され、シート（５０）に取り付けられるシート取付部（２１）が設けられる。
【００３５】
シート取付部（２１）の第１段差は、リーフスプリングの上端部における固定段差（３４）であり、スプリング取付部（２１ａ）に嵌合される。さらに、シート（５０）を連結するための連結孔（２１ｂ）が設けられる。
【００３６】
サポートヒンジ（２３）はベースヒンジ（１３）の第１連結孔（１３ａ）に対応する第２連結孔（２３ａ）を有し、ベース（１０）の縁側部にはストッパー（２３ｂ）が設けられる。
【００３７】
図７で示したように、スプリング（３０）は、シートサポート（２０）のヒンジ連結点にある湾曲中間部分（３３）であって、シートサポート（２０）が中間部分（３３）を中心とする湾曲中間部分（３３）と、シートサポート（２０）に接触する上部（３２）と、シートサポート（２０）の上部湾曲スプリングに連結（嵌合）され、位置決めされる固定段差（３４）とからなる。さらに、中間部分（３３）を中心として上下対称に位置決めされるベース（１０）の上部に連結される下部（３１）と、上向きに折り曲げ成形された湾曲部分（３５）とが含まれる。この湾曲部分（３５）は下向きにかかる極度の重量から生じる衝撃を吸収する。
【００３８】
本発明に係るシートの主要コンポーネントは図３及び図４に示すように連結される。シートサポート（２０）のシートサポートヒンジ（２３）はベース（１０）のベースヒンジ（１３）に連結され、ヒンジボルト（４０）はヒンジを連結するために用いられる。
【００３９】
ヒンジボルト（４０）を連結する前には、スプリング（３０）がベース（１０）とシートサポート（２０）との間にセットされるように圧縮される必要があり、次いでヒンジボルト（４０）が締め付けられる必要がある。
【００４０】
さらに、シートボルト（５５）を用いてシート（５０）がシートサポート（２０）に固定される必要がある。
【００４１】
図１に示したように、本発明では、スタンド（６５）に連結された固定部（６０）をベース（１０）に連結することができ、また必要に応じて、ベースを固定部（６０）、アームレスト（７５）、及びバックボード（７０）にも連結するができる。
【００４２】
上記のように組み付けられると、シートサポート（２０）とベース（１０）との間の間隔はリーフスプリング（３０）の張力のために一定の距離に保たれ、その結果として平行状態が実現される。スプリング（３０）の反発力は、ヒンジ（２３）におけるストッパー（２３ｂ）の片側をベース（１０）の側面と接触させることによって、シートサポート（２０）が非平行状態になることと上方に移動することを防止する。
【００４３】
さらに、図２に示すように、ユーザーがシート（５０）に座ると、２点鎖線で示したユーザーの体重による力はベースヒンジ（１３）及びサポートヒンジ（２３）を中心としてシートを下向きに移動させるので、骨盤の両側から押す力は中心に向かって作用（図２の矢印を参照）してユーザーの骨盤を保護する。
【産業上の利用可能性】
【００４４】
本発明は患者の骨盤が拡張されることを防止し、尾骨の圧力を軽減して痛みを抑え、肛門疾病患者に好都合である。
【図面の簡単な説明】
【００４５】
【図１】骨盤保護椅子の構造正面図である。
【図２】骨盤保護椅子の説明用正面図である。
【図３】シートの構造平面図（Ａ）及び側面図（Ｂ）である。
【図４】シートの構造正面図である。
【図５】シートのベースの説明用平面図（Ａ）、側面図（Ｂ）、正面図（Ｃ）である。
【図６】シートのベースの構造平面図（Ａ）、側面図（Ｂ）、正面図（Ｃ）である。
【図７】リーフスプリングの構造平面図（Ａ）、側面図（Ｂ）、正面図（Ｃ）である。
【図８】骨盤保護椅子の主要部を構成する各種コンポーネントの分解図である。
【図１】
2009511160.tif 000003
【図２】
2009511160.tif 000004
【図３】
2009511160.tif 000005
【図４】
2009511160.tif 000006
【図５】
2009511160.tif 000007
【図６】
2009511160.tif 000008
【図７】
2009511160.tif 000009
【図８】
2009511160.tif 000010
2009511160.tif 000011
【国際調査報告】
2009511160.tif 000012
2009511160.tif 000013